(57)【要約】      （修正有）【課題】葉菜類、果菜類及び根菜類ともに品質が高く食味に優れた野菜を栽培することができる栽培システムにおいて、自動化が容易で、根菜類、果菜類、葉菜類の養分吸収特性にも合わせた肥料供給を可能とし、糖度の高い野菜栽培を可能とする、土耕コンテナを提供する。【解決手段】コンテナ本体１２と、水及び／又は養液を投入するための開口部１４ａと、水や養液をコンテナ本体の底部に漏出するための穴１４ｂが少なくとも１以上形成されてなる水供給パイプ１４と、を備え、水供給パイプをコンテナ本体に収容した状態において、水供給パイプとコンテナ本体底部との間に一定の空間Ｘが形成されてなり、水供給パイプの開口部から空間Ｘに水及び／又は養液を供給し、水及び／又は養液が土耕コンテナ１０底部の空間Ｘに拡散された後、土壌１６に移動するように構成された、土耕コンテナ。【選択図】図２
2020074763.tif 000002
【特許請求の範囲】
【請求項１】
土耕栽培を行うための土耕コンテナであって、
コンテナ本体と、
水及び／又は養液を投入するための開口部と、前記水や養液を前記コンテナ本体の底部に漏出するための穴が少なくとも１以上形成されてなる水供給パイプと、を備え、
前記水供給パイプを前記コンテナ本体に収容した状態において、前記水供給パイプと前記コンテナ本体底部との間に一定の空間が形成されてなり、
前記水供給パイプの開口部から前記空間に前記水及び／又は養液を供給し、前記水及び／又は養液が前記土耕コンテナ底部の空間に拡散された後、土壌に移動するように構成された、
土耕コンテナ。
【請求項２】
前記コンテナ本体に、有機培地と、粘土鉱物とを含む土壌が投入されてなる、請求項１に記載の土耕コンテナ。
【請求項３】
前記水供給パイプが、略Ｕ字状に形成されてなる、請求項１又は２に記載の土耕コンテナ。
【請求項４】
さらに、土壌に植え付けされる植物の根が通過するのを阻止して水を通過させる防根シートと、
前記防根シートの下に積層されて、土壌に水を供給する吸水シートと
が、前記水供給パイプの一部を覆うように前記コンテナ内の土壌の下に設置されてなる、
請求項１〜３のいずれか１項に記載の土耕コンテナ。
【請求項５】
さらに、前記コンテナ底部に設けられ前記水供給パイプを支える支持体を備えた、請求項１〜４のいずれか１項に記載の土耕コンテナ。
【請求項６】
植物が植え付けされる土壌を収容するコンテナ本体と、
水及び／又は養液を投入するための開口部と、前記水や養液を前記コンテナ本体の底部に漏出するための穴が少なくとも１以上形成されてなる水供給パイプと、
前記水供給パイプを前記コンテナ本体に収容した状態において、前記水供給パイプと前記コンテナ本体底部との間に一定の空間を形成するための支持体と、
前記水供給パイプの上部であって、前記土壌の下に設置される吸水シートと
を備えた土耕コンテナを用いる植物の栽培方法であって、
前記水及び／又は養分は、前記コンテナ底部の前記空間に拡散された後、前記吸水シートを介して前記土壌に供給されることを特徴とする、
植物の栽培方法。
【請求項７】
さらに、前記土耕コンテナに、土壌に植え付けされる植物の根が通過するのを阻止して水を通過させる防根シートを前記吸水シートと積層して設け、
前記水及び／又は養分は、前記コンテナ底部の前記空間に拡散された後、前記吸水シート及び前記防根シートを介して前記土壌に供給されることを特徴とする、請求項６に記載の植物の栽培方法。
【請求項８】
前記水及び／又は養分の量は、前記土壌の低層部の水分率が上層部の水分率よりも高く、低層部の水分率がｐＦ値で３．０〜１．８の範囲で制御されることを特徴とする、請求項６又は７に記載の植物の栽培方法。
【請求項９】
前記土壌は、有機培地と粘土鉱物を含むことを特徴とする、請求項６又は７に記載の植物の栽培方法。
【発明の詳細な説明】
【技術分野】
【０００１】
本発明は、植物工場内で所定の容積からなるコンテナを使用して土壌栽培を行う土耕コンテナ栽培システムに関する。
【背景技術】
【０００２】
「植物工場」とは、施設内の温度、光、炭酸ガス、養液などの環境条件を自動制御装置で最適な状態に保ち、作物の播種、育苗、定植、収穫、出荷調整まで、周年計画的に一貫して行う生産システムのことをいう。近年、水耕栽培（養液栽培）方式で植物を育成する植物工場が数多く実用化されている。しかしながら、水耕栽培（養液栽培）方式の植物工場で実用化されている植物は主にレタス、クレソン、バジルなどの葉菜類に限られており、イニシャルコスト及びランニングコストがかかる植物工場では、単価が安い葉物野菜のみでは安定した経営を持続することは困難である。また、水耕栽培（養液栽培）方式では根部が常に養液に接しているため水分含量が高くなることから、みずみずしさが要求される野菜の栽培には適しているが、水分の吸収を制限することで糖度が高くなる（甘味が増す）野菜の栽培には適していない。さらに、果菜類や根菜類は葉菜類とは水分の要求特性や養分吸収特性が異なること、養液中の直根は肥大化が進まないことなどから、水耕栽培（養液栽培）方式の植物工場では果菜類や根菜類の栽培は従来から困難とされてきた。
【０００３】
そこで、根菜類の栽培にも適した植物栽培システムが提案されている。例えば、特開２００８−１１８９５７号公報には、平面視において互いに重なるように、複数の栽培ベッドが多段配置されており、各栽培ベッドには、植物が栽培されるモンモリナイトを含む培地が保持されており、各栽培ベッドの上方には、前記培地で栽培されている植物に照射される光の光源として、蛍光ランプと、植物の生育促進に有効な波長の光を放射する発光ダイオードが配置された、根菜類の栽培にも適した植物工場が開示されている（特許文献１）。
【先行技術文献】
【特許文献】
【０００４】
【特許文献１】特開２００８−１１８９５７公報
【発明の概要】
【発明が解決しようとする課題】
【０００５】
前記のような植物工場では、水が流れる凹部状の溝が形成された栽培ベッドに植物栽培用コンテナが設置され、植物栽培用コンテナには、吸水性を有する吸水シートの一部が溝を流れている水に浸漬し、毛細管現象を利用することで、コンテナ内に水分を供給するような構造となっている。
【０００６】
しかしながら、このような構造の水分供給方式では、水に浸漬している吸水シートが水に接している分だけ水を吸収してしまい、細かい水分コントロールは困難乃至不可能である。そのため栽培初期は水分を十分に供給し、栽培後期は水分の供給を抑制することで糖度の高い野菜を栽培するといった制御を行うことができない。また、根菜類は養分吸収特性が一定ではない為、養液の濃度（ＥＣ値）を容易に制御できる水耕式の植物工場と比較して、土耕式の植物工場では高度な施肥設計技術が必要となる。
【０００７】
従って本発明の目的は、葉菜類、果菜類及び根菜類ともに品質が高く食味に優れた野菜を栽培することができる栽培システムであって、自動化が容易で、根菜類、果菜類、葉菜類の養分吸収特性にも合わせた肥料供給を可能とし、糖度の高い野菜栽培を可能とする、土耕コンテナに関する技術を提供することにある。
【課題を解決するための手段】
【０００８】
本発明者らは上記課題を解決するため、土耕栽培を自動化できるシステムについて種々検討を行った。その中で、生育段階に合わせて土壌中の水分と添加する養分を制御することにより、葉菜類、果菜類及び根菜類のいずれも栽培可能となり、糖度の高い野菜を栽培することが可能であるとの知見を得た。
【０００９】
本発明は係る知見に基づきなされたものであり、土耕栽培を行うための土耕コンテナであって、コンテナ本体と、水及び／又は養液を投入するための開口部と、前記水や養液を前記コンテナ本体の底部に漏出するための穴が少なくとも１以上形成されてなる水供給パイプと、を備え、前記水供給パイプを前記コンテナ本体に収容した状態において、前記水供給パイプと前記コンテナ本体底部との間に一定の空間が形成されてなり、前記水供給パイプの開口部から前記空間に前記水及び／又は養液を供給し、前記水及び／又は養液が前記土耕コンテナ底部の空間に拡散された後、土壌に移動するように構成された、土耕コンテナを提供するものである。
【００１０】
また、本発明は、植物が植え付けされる土壌を収容するコンテナ本体と、水及び／又は養液を投入するための開口部と、前記水や養液を前記コンテナ本体の底部に漏出するための穴が少なくとも１以上形成されてなる水供給パイプと、前記水供給パイプを前記コンテナ本体に収容した状態において、前記水供給パイプと前記コンテナ本体底部との間に一定の空間を形成するための支持体と、前記水供給パイプの上部であって、前記土壌の下に設置される吸水シートとを備えた土耕コンテナを用いる植物の栽培方法であって、前記水及び／又は養分は、前記コンテナ底部の前記空間に拡散された後、前記吸水シートを介して前記土壌に供給されることを特徴とする、植物の栽培方法を提供するものである。
【発明の効果】
【００１１】
本発明の土耕コンテナによれば、根菜類、果菜類、葉菜類の養分吸収特性に合わせた肥料供給を自動化することができ、葉菜類、果菜類及び根菜類ともに品質が高く食味に優れた野菜を栽培することができる。
【図面の簡単な説明】
【００１２】
【図１】本発明の実施形態に係る土耕コンテナ栽培システム１の一例を示す概略図である。
【図２】土耕コンテナ栽培システム１に使用されるコンテナを説明するための図である。
【図３】図２に示す水供給パイプ１４の部分拡大図である。
【図４】土耕コンテナ栽培システム１に使用されるコンテナの他の例を説明するための図である。
【図５】実施形態に係る土耕コンテナ栽培システムを使用してカブを収穫した後のコンテナの底層部から上層部にかけての各水分率（ｐＦ値）を示す図である。
【図６】実施形態に係る土耕コンテナ栽培システムを使用して根菜類を栽培した例を示す図である。
【図７】実施形態に係る土耕コンテナ栽培システムを使用して葉菜類及び果菜類を栽培した例を示す図である。
【発明を実施するための形態】
【００１３】
図１は、本発明の実施形態に係る土耕コンテナ栽培システム１の一例を示す概略図である。説明の都合上省略しているが、土耕コンテナ栽培システム１は閉鎖空間内に設置され、作物の生長に必要な光源も設置している。
【００１４】
本実施形態に係る土耕コンテナ栽培システム１は、土耕栽培を行うためのコンテナ１０と、前記コンテナを移送するための移送手段２０と、前記コンテナに水及び養液を供給するための養液供給手段３０と、を備えている。
【００１５】
図２は、土耕コンテナ栽培システム１に使用されるコンテナを説明するための図である。コンテナ１０は、コンテナ本体１２と、コンテナ底部に水及び養液を供給するための水供給パイプ１４を備えている。そして、土壌１６の下にあって、土壌１６に植え付けされる植物１８の根が通過するのを阻止して水を通過させる防根シート４０と、この防根シート４０の下に積層されて、土壌１６に水を供給する吸水シート４２とが、水供給パイプ１４の一部を覆うように設置されている。さらに、水供給パイプ１４を支え、コンテナ底部に一定の空間Ｘを設けるための支持体４４が形成されている。コンテナ本体１２は、水供給パイプ１４と土壌１６と植物１８を収容しうる容積と強度を有し、かつ、水を通さない材料から形成されているものであれば特に限定されない。図においてはコンテナ底部の空間Ｘが広く形成されているように見えるが、実際には土壌１６の重みで防根シート４０と吸水シート４２が押し付けられ、支持体４４により形成されたわずかな隙間しか形成されていない。
【００１６】
水供給パイプ１４は、灌水時に開口上部１４ａから水や養分が投入され、コンテナの底部の空間Ｘに水や養分が到達するように円筒形状に形成されていることが好ましい。但し、水や養液がコンテナ底部の空間Ｘに供給することができれば形状は特に限定されない。例えば、図２に示すように、水供給パイプ１４の全体形状は略Ｕ字状であることが好ましい。
【００１７】
図３は、図２に示す水供給パイプ１４の部分拡大図である。水供給パイプ１４には、その底部に水や養液を漏出するための穴１４ｂが少なくとも１以上形成されており、穴１４ｂから水や溶液が矢印方向でコンテナ底部の空間Ｘに供給される。穴１４ｂの大きさは任意に設計することができるが、５００ｃｃ／３０ｓｅｃの速度で供給される程度の穴であることが好ましい。なお、図２、図３では穴１４ｂの向きが下方向に形成されている例を示したがこれに限定されることはなく、例えば、水供給パイプ１４の側面に穴を形成してもよい。
【００１８】
水供給パイプ１４の上部には、防根シート４０と吸水シート４２が積層されており、水供給パイプ１４の穴１４ｂから供給された水及び養分は、コンテナ底部の空間Ｘに拡散された後、吸水シート４２及び防根シート４０を介して土壌１６に供給される。
【００１９】
図４は、図２に示すコンテナの他の実施形態を示す図である。本実施形態のコンテナ１１は、略Ｉ字状の水供給パイプ１５を備えており、水供給パイプ１５の灌水時に上開口部１５ａから水や養分が投入され、下開口部１５ｂからコンテナの底部の空間Ｘに水や養分が到達するように構成されている。なお、図４ではコンテナ本体１３の端部に水供給パイプ１５が設置されているがこれに限定されることはなく、コンテナ本体１３の中央部に設置してもよい。なお、図には示していないが、図２、図３で示した防根シート４０と吸水シート４２を使用してもよい。
【００２０】
なお、コンテナ１０は透水性がなく、水分、土壌、肥料などが外部へ流出しないようになっている。また、植物は制限された領域でしか根を張ることができないため、根域の環境制御が容易であり、根に適度なストレスもかけやすい。すなわち、根域制限下で根にストレスをかけることにより、野菜は糖分を蓄積しやすくなり、食味の良好な野菜を栽培することが可能となる。
【００２１】
コンテナ１０には、植物を栽培するための土壌が使用される。本実施形態で使用する土壌は、保水力（容水量）及び保肥力（陽イオン交換容量：ＣＥＣ）が高く、かつ、不純物が少なく物性が安定している土壌であることが好ましい。例えば、ピートモスのような有機培地と、モンモリロナイトのような粘土鉱物を含む土壌であることが好ましい。
【００２２】
播種、育苗及びコンテナ１０への定植は別途行う。なお、後述するように、コンテナ１０に投入する土壌は新品のものを使用することもできるが、栽培後に回収した土壌をリサイクルして使用することもできる。
【００２３】
養液供給手段３０は、コンテナ１０の水供給パイプ１４の開口部１４ａから水及び／又は養液を供給するように構成されている。養液供給手段３０と水供給パイプ１４の開口部１４ａとの位置合わせは、ベルトコンベア等からなる移送手段２０が、コンテナ１０を養液供給手段３０のノズル（図示せず）の位置に移送することで行われ、配管３２を介してノズルから水及び／又は養液を注入する。
【００２４】
水又は養液の流れは図２に示すように、水供給パイプ１４の上開口部１４ａから注入された後、穴１４ｂからコンテナ１０の空間Ｘに到達し、吸水シート４２及び防根シート４０を介して土壌１６に移動する。添加される水又は養液の量は、土壌１６の低層部のｐＦ値が１．８前後となるように制御される。低層部の水分率をそのように制御することで、栽培後期には、低層部の根が生育に必要な水を吸収する一方、上層部の根は、土壌の乾燥により水ストレスがかけられた状態となり、植物（作物）の可食部の糖分の蓄積量を高めることができる。但し、上層部の土壌が乾燥しすぎると植物の生長に影響が出る恐れがあるため、水分率の下限はｐＦ値が３．０とすることが好ましい。
【００２５】
ここで、「ｐＦ値」とは、土の中の水が土の毛管力によって引き付けられている強さの程度を表す値を意味する。換言すれば、土の湿り具合を表す値である。十分に水を含んでいる土壌の場合ｐＦ値は低く、植物の根が水を吸いやすいことを示す。逆に土壌が乾燥してくるとｐＦ値は高くなり、水を吸い上げるには高い力が必要となる。
【００２６】
本実施形態において、養液供給手段３０は複数備えていることが好ましい。植物は生長段階で栄養要求特性が異なるため、各養液供給手段３０から供給される養液の成分及び／又は濃度を異なるものとすることで、その時に最も適切な養分を供給することが可能となる。
【００２７】
図１では養液供給手段３０を２つ設置した例を示したが、本実施形態ではこれに限定されることなく、１つでもよく、３つ以上設置してもよい。また、養液の成分は栽培する葉菜類、果菜類、根菜類に応じて適宜設定される。
【００２８】
図５は、本実施形態に係る土耕コンテナ栽培システムを使用してカブを収穫した後のコンテナの低層部から上層部までの各水分率（ｐＦ値）を示す図である。
【００２９】
未使用の新品土、リサイクルして再利用した連続使用土及び黒ボク土の各々について、水分率とｐＦ値を測定したところ、図に示すような関係が得られた。
【００３０】
図６は、実施形態に係る土耕コンテナ栽培システムを使用して根菜類を栽培した例を示す図である。また、図６には収穫した各根菜類について、糖度計により測定した糖度を示す。
【００３１】
図６に示すように、本実施形態の土耕コンテナ栽培システム１は、蕪（カブ）、人参、二十日大根、辛味大根といった根菜類について、糖度が高く、健康的な根菜類を栽培することができる。
【００３２】
図７は、実施形態に係る土耕コンテナ栽培システムを使用して葉菜類及び果菜類を栽培した例を示す図である。
【００３３】
図７に示すように、本実施形態の土耕コンテナ栽培システム１は、サニーレタス、バジル、ビート、水菜、フリルアイス、コリアンダー、イエローステム、グリーンマスタード・レッドマスタード、アイスプラント、ミニチンゲン菜、アマランサスといった葉菜類、およびトマトなどの果菜類についても、優れた生産能力を示すことが実証された。
【符号の説明】
【００３４】
１…土耕コンテナ栽培システム
１０、１１…コンテナ
１２、１３…コンテナ本体
１４、１５…水供給パイプ
１４ａ、１５ａ…上開口部
１４ｂ…穴
１５ｂ…下開口部
１６…土壌
１８…苗
１９…収穫物
２０…移送手段
３０…養液供給手段
３２…配管
４０…防根シート
４２…吸水シート
４４…支持体
【図１】
2020074763.tif 000003
【図２】
2020074763.tif 000004
【図３】
2020074763.tif 000005
【図４】
2020074763.tif 000006
【図５】
2020074763.tif 000007
【図６】
2020074763.tif 000008
【図７】
2020074763.tif 000009